(57)【要約】      （修正有）【課題】モバイル電源を有する光硬化装置を提供する。【解決手段】光硬化装置は、基材１０、発光ダイオード、モバイル電源４０及び外付け電源を含む。基材は、光硬化スロット１８及び電池スロットを形成し、電池スロットは、プラグを有する。発光ダイオードは、基材に設けられ、且つパッケージ体及び２つのチップを含み、２つのチップは、パッケージ体に設けられ、且つ波長が互いに異なり、直列方式で互いに接続する。モバイル電源は、挿入孔４１及び充電電池を有し、電池スロットのプラグは、モバイル電源挿入孔に挿入設置され、外付け電源は、コンセントに挿入設置される。これにより、発光ダイオードの光を利用して装飾品を手指の爪又は足の爪に固定する以外に、更にモバイル電源をその電子装置に対して充電することができる。また、発光ダイオードは、異なる波長の混合光を発し、空間を節約し、且つ重量を軽減する。【選択図】図２
0003196234.tif 000002
【実用新案登録請求の範囲】
【請求項１】
光硬化スロット、電池スロット及びコンセントを形成し、該電池スロットがプラグを有する基材と、
該基材に設けられ、且つ光線を発射し、該光硬化スロットに照射する少なくとも１つの発光ダイオードと、
挿入孔及び少なくとも１つの充電電池を有するモバイル電源であって、該電池スロットのプラグが該モバイル電源の該挿入孔に挿入され、該モバイル電源を着脱可能に該電池スロット中に収容するモバイル電源と、
該コンセントに着脱可能に挿入設置される外付け電源と、
を含むモバイル電源を有する光硬化装置。
【請求項２】
前記基材は、回路板を含み、該回路板は、電源スイッチを設け、該発光ダイオードは、該回路板に設けられ、該電源スイッチは、該発光ダイオードをオン又はオフすることに用いられ、
該電源スイッチが該発光ダイオードをオンにし且つ該外付け電源が該コンセントに挿入される時、該発光ダイオードが必要な電力が該外付け電源から供給され、且つ該外付け電源が同時に電力を供給し、該電池スロット中のモバイル電源の充電電池に対して充電を行い、
該電源スイッチが該発光ダイオードをオフにし且つ該外付け電源が該コンセントに挿入される時、該外付け電源は、電力を供給し、該電池スロット中のモバイル電源の充電電池に対して充電を行い、
該電源スイッチが該発光ダイオードをオンにし且つ該外付け電源が該コンセントに挿入されていない時、該モバイル電源の充電電池が該発光ダイオードに電力を供給する請求項１に記載のモバイル電源を有する光硬化装置。
【請求項３】
前記基材は、底板、コ形板及びシール板を含み、該底板は、第１開口を開設し、該コ形板の両端は、該底板の上部に設けられ且つ少なくとも１つの通孔を開設し、該シール板は、該底板の上部に設けられ且つ該コ形板一側に密閉され、該コ形板及び該シール板は、該光硬化スロットを囲い、該光硬化スロットは、該第１開口に連通され、該通孔が該光硬化スロットに連通され、該回路板は、該コ形板の上部に設けられ、該電源スイッチが該回路板の上部に位置され、該発光ダイオードは、該回路板の底部に配置され、該発光ダイオードが発する光線は、該通孔を通過し、該光硬化スロットを入射する請求項２に記載のモバイル電源を有する光硬化装置。
【請求項４】
前記電源スイッチは、秒数スイッチである請求項２に記載のモバイル電源を有する光硬化装置。
【請求項５】
更に、マスク体を含み、該マスク体は、該基材上方に設けられ、且つボタンを含み、該ボタンは、該電源スイッチに対応される請求項２に記載のモバイル電源を有する光硬化装置。
【請求項６】
前記発光ダイオードは、パッケージ体及び２つのチップを含み、該２つのチップは、該パッケージ体中に設けられ、且つ該２つのチップの波長は、互いに異なり、直列の方式は、互いに接続する請求項１に記載のモバイル電源を有する光硬化装置。
【請求項７】
前記２つのチップの波長は、それぞれ３６５ｎｍ及び４００ｎｍである請求項６に記載のモバイル電源を有する光硬化装置。
【請求項８】
前記２つのチップの波長は、それぞれ３８０ｎｍ及び４００ｎｍである請求項６に記載のモバイル電源を有する光硬化装置。
【請求項９】
前記２つのチップの波長は、それぞれ６６０ｎｍ及び４００ｎｍである請求項６に記載のモバイル電源を有する光硬化装置。
【請求項１０】
前記基材は、底板、複数の電池スロット板及び電池スロット蓋を含み、該底板は、第２開口を開設し、該電池スロット板は、該底板の上部に設けられ且つ該電池スロットを囲い、該電池スロットは、該第２開口に連通され、該電池スロット蓋は、該第２開口に着脱可能に被せられる請求項１に記載のモバイル電源を有する光硬化装置。
【考案の詳細な説明】
【技術分野】
【０００１】
本考案は、光硬化装置に関し、特に、ネイルアートを手指の爪又は足の爪に硬化させ、電子装置を充電させることに用いるモバイル電源を有する光硬化装置に関する。
【背景技術】
【０００２】
ネイルアートは、既に流行ファッションとなっている。ネイルアートの製造方式は、各種装飾品を接着剤で手指の爪又は足の爪に接着し、その後、光硬化装置の発光ダイオードが発光する光線を手指の爪又は足の爪に照射し、接着剤を硬化させる。
【０００３】
しかしながら、従来の光硬化装置は、機能がシンプルであり、通常手指の爪又は足の爪上の接着剤を硬化させることに用いない時は、従来の光硬化装置は、傍らに置かれているだけであり、利用価値がなく且つ空間を占有する。
【０００４】
また、従来の光硬化装置が使用する発光ダイオード(light-emitting diode，LED)のパッケージ体は、ただ１つのチップのみをパッケージングし、光混合の目的を達成する場合、２つ以上の異なる波長のチップをパッケージした発光ダイオードを共に発光して初めて光混合の効果を達成することができる。従来の光硬化装置の問題は、多くの発光ダイオードは、相當な体積を占有し、且つ光硬化装置の重量を増加させることにある。
【先行技術文献】
【特許文献】
【０００５】
【特許文献１】特開２００３−９３４０５号公報
【考案の概要】
【考案が解決しようとする課題】
【０００６】
本考案の目的は、そのモバイル電源が取り外されて、その他の電子装置に対して充電することができるモバイル電源を有する光硬化装置を提供することにある。
【０００７】
本考案のもう１つの目的は、外付け電源が、電源スイッチが発光ダイオードをオンにしている時、発光ダイオードの電源を外付け電源から供給するとともに、外付け電源がモバイル電源に対して充電を行うことができるモバイル電源を有する光硬化装置を提供することにある。
【０００８】
本考案の更にもう1つの目的は、発光ダイオードのパッケージ体内に２つの波長が互いに異なるチップを設置することができるモバイル電源を有する光硬化装置を提供することにある。
【課題を解決するための手段】
【０００９】
前記目的を達成する為、本考案が提供するモバイル電源を有する光硬化装置は、基材と、少なくとも１つの発光ダイオードと、モバイル電源と、外付け電源と、を含む。
【００１０】
該基材は、光硬化装置と、電池スロットと、コンセントと、を形成し、該電池スロットは、プラグを有する。
【００１１】
該発光ダイオードは、該基材に設けられ、且つ光線を発射し、該光硬化スロットに照射する。
【００１２】
該モバイル電源は、挿入孔及び少なくとも１つの充電電池を有し、該電池スロットのプラグは、該モバイル電源の挿入孔に挿入設置され、該モバイル電源を着脱可能に該電池スロット中に収容することができる。
【００１３】
該外付け電源は、該コンセントに着脱可能に挿入設置される。
【００１４】
好適実施例に基づき、該基材は、回路板を含み、該回路板は、電源スイッチを設け、該発光ダイオードは、該回路板に設けられ、該電源スイッチは、該発光ダイオードをオン又はオフすることに用いられ、そのうち、該電源スイッチが該発光ダイオードをオンにし且つ該外付け電源が該コンセントに挿入される時、該発光ダイオードが必要な電極が該外付け電源から提供され、且つ該外付け電源が同時に電力を供給し、該電池スロットに位置するモバイル電源の充電電池に対して充電を行い、そのうち、該電源スイッチが該発光ダイオードをオフにし、且つ該外付け電源が該コンセントに挿入されている時、該外付け電源は、電力を供給し、該電池スロットに位置するモバイル電源の充電電池に対して充電を行い、そのうち、該電源スイッチが該発光ダイオードをオンにし且つ該外付け電源が該コンセントに挿入されていない時、該モバイル電源の充電電池が電力を該発光ダイオードに供給する。
【００１５】
好適実施例に基づき、該発光ダイオードは、パッケージ体及び２つのチップを含み、該２つのチップは、該パッケージ体中に設けられ、且つ該２つのチップの波長が互いに異なり、直列方式で接続される。そのうち、該２つにチップの波長は、それぞれ３６５ｎｍ及び４００ｎｍであるか、それぞれ３８０ｎｍ及び４００ｎｍであるか、それぞれ６６０ｎｍ及び４００ｎｍである。
【考案の効果】
【００１６】
本考案の効果は、発光ダイオードを利用して手指の爪又は足の爪に照射し、接着剤を硬化させ、装飾品を手指の爪又は足の爪に固定させる以外に、更に、モバイル電源ｎを電池スロットから取り外し、その他の電子装置に充電することができる。また、発光ダイオードが光線を発し、接着剤を硬化すると同時に、外付け電源は、電池スロットに位置するモバイル電源の充電電池に対する充電を持続することができる。また、発光ダイオードは、直接異なる波長が混合されてなる光線を発することができ、空間を節減し、且つ重量を軽減することができる。
【図面の簡単な説明】
【００１７】
【図１】本考案の立体図である。
【図２】本考案の分解図である。
【図３】本考案の他の視角の立体図である。
【図４】本考案の他の視角の分解図であり、そのうち、モバイル電源が電池スロット中から取り出し、モバイル装置に対して充電することができる。
【図５】本考案の手指の爪上のネイルアートを硬化することに用いる接着剤の説明図である。
【考案を実施するための形態】
【００１８】
本考案の上記目的を達成する為に採用する技術手段及び効果について、可能な実施例を挙げ、図面を合わせて以下に説明する。
【００１９】
図１〜図４を参照し、本考案のモバイル電源を有する光硬化装置は、基材１０、複数の発光ダイオード２０、マスク体３０、モバイル電源４０及び外付け電源（図示せず）を含む。
【００２０】
該基材１０は、底板１１、コ形板１２、シール板１３、回路板１４、複数の電池スロット板１５、電池スロット蓋１６及びコンセント（図示せず）を含む。該底板１１は、第１開口及び第２開口を開設する。該コ形板１２の両端は、該底板１１の上部に接続され、該第１開口を跨ぎ、該コ形板１２は、複数の通孔１２１を開設する。該シール板１３は、該底板１１の上部に設けられ、且つ該コ形板１２一側を密閉し、該コ形板１２及び該シール板１３は、光硬化スロットを囲い、該光硬化スロット１８は、該第１開口に連通し、該通孔１２１は、該光硬化スロット１８に連通される。該回路板１４は、該コ形板１２の上部に設けられ、且つ電源スイッチ１４１を設け、該電源スイッチ１４１は、該回路板１４の上部に位置する。好ましくは、該電源スイッチ１４１は、秒数スイッチである。いわゆる「秒数スイッチ」とは、単位時間内オンを持続するよう設定され、単位時間終了すると自動でオフとなるものである。該電池スロット板１５は、該底板１１の上部に設けられ且つ電池スロット１５１を囲い、該電池スロット１５１は、該第２開口に連通され、該電池スロット蓋１６は、着脱可能に該第２開口に被せられる。そのうち、該電池スロット１５１は、プラグ１５１１を有する。該コンセント（図示せず）は、該プラグ１５１１に電気接続する。
【００２１】
該発光ダイオード２０は、該回路板１４の底部に設けられ且つそれぞれ該通孔１２１に対応する。該電源スイッチ１４１は、該発光ダイオード２０をオンにすることに用いられる。各発光ダイオード２０は、パッケージ体及び２つのチップを含み、該２つのチップは、該パッケージ体中に設けられ、且つ該２つのチップの波長は、互いに異なり直列方式で互いに接続される。そのうち、該２つのチップの波長は、それぞれ３６５ｎｍ及び４００ｎｍであるか、それぞれ３８０ｎｍ及び４００ｎｍであるか、それぞれ６６０ｎｍ及び４００ｎｍの組み合わせであるか、又はその他の波長の組み合わせであることができる。その他の実施例において、各発光ダイオード２０は、ただ１つのチップを含むか、２つ以上のチップを含むことができる。各発光ダイオード２０のその他の部材及びその接続関係は、従来技術に属し、ここでは、詳細を記載しない。
【００２２】
該マスク体３０は、該基材１０上方に設けられ、且つボタン３１を含み、該ボタン３１は、該電源スイッチ１４に対応する。更に明確に述べれば、該マスク体３０は、該基材１０の上部全体をその中に覆う。且つ該マスク体３０は、基材１０の形状に順応する為、該マスク体３０の外周面は、該基材１０のコ形板１２に対応する箇所に１つの切欠き３２を形成し、該切欠き３２は、該光硬化スロット１８に連通する。
【００２３】
該モバイル電源４０は、挿入孔４１及び少なくとも１つの充電電池（図示せず）を有し、該電池スロット１５１のプラグ１５１１は、該モバイル電源４０の挿入孔４１に挿入され、該モバイル電源４０を該電池スロット１５１中に着脱可能に収容することができる。
【００２４】
該外付け電源は、該基材１０のコンセントに着脱可能に挿入設置される。更に明確に述べれば、該外付け電源は、電源ケーブルであり、該電源ケーブルの一端は、該基材１０のコンセントに対応する挿入接続端であり、他端は、都市電源コンセントに対応するプラグであり、該電源ケーブルの挿入接続端は、該基材１０のコンセントに挿入され、該電源ケーブルのプラグは、都市電源コンセントに挿入される。
【００２５】
図４を参照し、それは、本考案の他の視角の分解図である。そのうち、該モバイル電源４０は、該電池スロット１５１中から取り出し、その後、電子装置６０に対して充電することができる。
【００２６】
図５を参照し、それは、本考案を手指の爪上のネイルアートの接着剤を硬化させることに用いる説明図である。接着剤により各種装飾品を手指の爪上に貼付し、その後、手指を該光硬化スロット１８内に伸入する。続いて、該ボタンを押下し、該電源スイッチを触発し、該発光ダイオードをオンにし、該発光ダイオード２０の２つのチップは、異なる波長の光線を発射し、光混合を経た後、該通孔１２１を通過し、該光硬化スロット１８に入射し、且つ使用者の手指の爪上照射し、該手指の爪上接着剤を硬化させ、装飾品を手指の爪上に固定する効果を達成する。本考案は、足の爪上のネイルアートの接着剤を硬化することに用いることもでき、装飾品を足の爪上の固定する効果を達成することができる。
【００２７】
そのうち、該電源スイッチ１４１が該発光ダイオード２０をオンにし、且つ該外付け電源が該コンセントに挿入される時、該発光ダイオード２０が必要な電力が該外付け電源から供給され、且つ該外付け電源は、同時に電力を供給し、該電池スロット１５１のモバイル電源４０の充電電池に対して充電を行う。そのうち、該電源スイッチ１４１は、該発光ダイオード２０をオンにし、且つ該外付け電源が該コンセントに挿入されない時、該モバイル電源４０の充電電池が該発光ダイオード２０に電力を供給する。そのうち、該電源スイッチ１４１が該発光ダイオード２０をオンにし且つ該外付け電源が該コンセントに挿入されているが、該モバイル電源４０が該電池スロット１５１中から取り出されている時、該外付け電源は、該発光ダイオード２０に電力を供給する。そのうち、該電源スイッチ１４１が該発光ダイオード２０をオフにし、且つ該外付け電源が該コンセントに挿入される時、該外付け電源は、電力を供給し、該電池スロット１５１のモバイル電源４０の充電電池に対して充電を行う。
【００２８】
本考案のモバイル電源を有する光硬化装置は、該発光ダイオード２０の光線を該光硬化スロット１８内に位置する手指の爪上又は足の爪に照射し、接着剤を硬化させ、装飾品を手指の爪又は足の爪に固定する用途以外に、該モバイル電源４０を該電池スロット１５１から取り外し、その他の電子装置６０に対して充電を行うことができる。
【００２９】
重要であるのは、ただ該外付け電源を該コンセントに挿入し且該電源スイッチ１４１が該発光ダイオード２０をオンにするだけで、該モバイル電源４０が該電池スロット１５１中に設けられているか否かに関わらず、該発光ダイオード２０の電源は、何れも該外付け電源から供給されるということである。これにより、該モバイル電源４０は、適時取り外してその他の電子装置６０に対して充電することができ、且つ該発光ダイオード２０が光線を発射し、接着剤を硬化させる用途に影響を及ぼすことがない。
【００３０】
また、該電源スイッチ１４１は、該発光ダイオード２０をオンにし、且つ該外付け電源が該コンセントに挿入される時、該発光ダイオード２０が必要な電力が該外付け電源から供給され、且つ該外付け電源は、同時に該モバイル電源４０の充電電池に対して充電を行うことができる。これにより、該発光ダイオード ２０は、光線を発射し、接着剤を硬化すると同時に、該外付け電源は、更に、該モバイル電源４０の充電電池に対する充電を継続することができ、一挙両得である。
【００３１】
また、該マスク体３０は、該回路板１４、該電源スイッチ１４１及び該発光ダイオード２０を保護することができ、該マスク体３０は、該切欠き３２を形成し、従って、使用者の手指又は足の爪が該光硬化スロット１８中に伸入するのを妨げることがない。
【００３２】
また、各発光ダイオード２０の２つにチップは、パッケージ体中に設けられ、且つ該２つのチップの波長は、互いに異なり、直列の方式で互いに接続される。これにより、各発光ダイオード２０は、異なる波長が混合してなる光線を直接発することができ、従来技術のように多くの単一波長の発光ダイオードを介して、混合光を発する目的を完成する必要がなく、相當に空間を節約し、且つ重量を軽減する。
【００３３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３４】
１０  基材
１１  底板
１２  コ形板
１２１  通孔
１３  シール板
１４  回路板
１４１  電源スイッチ
１５  電池スロット板
１５１  電池スロット
１５１１  プラグ
１６  電池スロット蓋
１８  光硬化スロット
２０  発光ダイオード
３０  マスク体
３１  ボタン
３２  切欠き
４０  モバイル電源
４１  挿入孔
６０  電子装置
【図１】
0003196234.tif 000003
【図２】
0003196234.tif 000004
【図３】
0003196234.tif 000005
【図４】
0003196234.tif 000006
【図５】
0003196234.tif 000007